(57)【要約】      （修正有）【課題】コレステリック液晶のスペクトルを広げる方法及び構造を提供する。【解決手段】電極構造がコレステリック液晶の一方の面上に加えられ、コレステリック液晶のねじ軸に垂直な周辺電界を生じるようにする。よって、電極構造に近いコレステリック液晶のらせんピッチはより長くなり、一方、電極構造から離れたコレステリック液晶の他方のらせんピッチは同じ長さを維持する。さらに、適切な波長を有する光を用いて、重合特性を有するコレステリック液晶を凝結させ、電極構造に電圧が印加されていない間もコレステリック液晶が多様ならせんピッチを変化させる。したがって、コレステリック液晶のスペクトル及びその応用が広がる。【選択図】図３
2004310115.tif 000002
【特許請求の範囲】
【請求項１】
コレステリック液晶のスペクトルを広げる方法であって、
第１の基板及び第２の基板を設け、該２つの基板を封止剤により封止し、
前記第１の基板と前記第２の基板との間にコレステリック液晶を充填し、前記コレステリック液晶のダイレクタの軸が前記第１及び第２の基板に垂直な複数の垂直軸周りにねじれており、
前記第１の基板の一方の面上に少なくとも１つの電極を形成し、
次いで、前記電極に電圧を印加して周辺電界を生成し、前記コレステリック液晶のらせんピッチを変化させるようにし、前記周辺電界が前記垂直軸の方向に垂直であることを特徴とする方法。
【請求項２】
さらに、前記コレステリック液晶を重合可能とし、
次いで、前記コレステリック液晶のらせんピッチを変化させる工程の後、前記コレステリック液晶に光線を照射して、重合を行うことを特徴とする請求項１に記載の方法。
【請求項３】
前記重合可能とする工程は、前記コレステリック液晶の少なくとも１つのモノマーにより行われ、前記モノマーは、液晶モノマー、キラル剤モノマー、光重合開始剤モノマー、及びこれらの混合物のうちから選択されるものであることを特徴とする請求項２に記載の方法。
【請求項４】
前記光線は、紫外線、又はＡｒ光線であることを特徴とする請求項１に記載の方法。
【請求項５】
前記電極は、コプレーナ構造であることを特徴とする請求項１に記載の方法。
【請求項６】
前記電極は、少なくとも１つの正極構造と、少なくとも１つの負極構造とを交互に配列して備えることを特徴とする請求項１に記載の方法。
【請求項７】
前記電圧は、交流、又は直流により供給されることを特徴とする請求項１に記載の方法。
【請求項８】
前記電極は、前記第１の基板の前記コレステリック液晶と同じ側の面上に位置し、前記コレステリック液晶と前記第１の基板との間に配置されることを特徴とする請求項１に記載の方法。
【請求項９】
前記電極は、前記第１の基板の前記コレステリック液晶とは異なる側の面上に位置することを特徴とする請求項１に記載の方法。
【請求項１０】
コレステリック液晶のスペクトルを広げる方法であって、
電極構造を第１の基板上に形成し、
前記第１の基板と第２の基板とを結合し、該２つの基板を封止剤により封止し、
前記第１の基板と前記第２の基板との間にコレステリック液晶を充填し、前記電極構造が前記第１の基板と前記コレステリック液晶との間に位置し、
次いで、前記電極構造に電圧を印加して周辺電界を生成し、前記コレステリック液晶のらせんピッチを変化させるようにすることを特徴とする方法。
【請求項１１】
さらに、前記コレステリック液晶を重合可能とし、
次いで、前記コレステリック液晶のらせんピッチを変化させる工程の後、前記コレステリック液晶に光線を照射して、重合を行うようにすることを特徴とする請求項１０に記載の方法。
【請求項１２】
前記重合可能とする工程は、前記コレステリック液晶に少なくとも１つのモノマーを添加することを特徴とする請求項１１に記載の方法。
【請求項１３】
前記モノマーは、液晶モノマー、キラル剤モノマー、光重合開始剤モノマー、及びこれらの混合物のうちから選択されるものであることを特徴とする請求項１２に記載の方法。
【請求項１４】
前記光線は、紫外線、又はＡｒ光線であることを特徴とする請求項１２に記載の方法。
【請求項１５】
前記電圧は、交流、又は直流により供給されることを特徴とする請求項１０に記載の方法。
【請求項１６】
前記電極構造を形成する工程は、
前記第１の基板上に第１の電極を形成し、
次いで、前記第１の基板上に第２の電極を形成し、前記第１の電極及び前記第２の電極が交互に配列されており、前記第１の電極及び前記第２の電極は、反対の電気特性を有することを特徴とする請求項１０に記載の方法。
【請求項１７】
前記第１の電極及び前記第２の電極は、指状形状であることを特徴とする請求項１６に記載の方法。
【請求項１８】
前記電極構造を形成する工程は、
前記第１の基板上に第１の電極を形成し、
前記第１の電極上に絶縁層を形成し、
次いで、前記絶縁層上に第２の電極を形成するようにし、前記第２の電極は、前記絶縁層を部分的に露出させ、前記第１の電極及び前記第２の電極は、反対の電気特性を有することを特徴とする請求項１０に記載の方法。
【請求項１９】
前記第１の電極は、前記第１の基板を部分的に露出させることを特徴とする請求項１８に記載の方法。
【請求項２０】
コレステリック液晶のＬＣＤ表示装置であって、
第１の基板と、
第２の基板と、
前記第１の基板と前記第２の基板との間に位置するコレステリック液晶と、
前記コレステリック液晶と前記第１の基板との間に位置し周辺電界を生じる能力を有する電極構造とを備えることを特徴とするＬＣＤ表示装置。
【請求項２１】
前記コレステリック液晶は、多様な長さのらせんピッチを有することを特徴とする請求項２０に記載のＬＣＤ表示装置。
【請求項２２】
前記電極構造は、前記第１の基板上に形成されることを特徴とする請求項２０に記載のＬＣＤ表示装置。
【請求項２３】
前記電極構造は、
前記第１の基板上に位置する第１の電極と、
前記第１の基板上に位置する第２の電極とを備え、前記第１の電極及び前記第２の電極が交互に配列されており、前記第１の電極及び前記第２の電極は、反対の電気特性を有することを特徴とする請求項２０に記載のＬＣＤ表示装置。
【請求項２４】
前記第１の電極及び前記第２の電極は、指状形状であることを特徴とする請求項２０に記載のＬＣＤ表示装置。
【請求項２５】
前記電極構造は、
前記第１の基板上に位置する第１の電極と、
前記第１の電極及び前記第１の基板上に位置する絶縁層と、
前記絶縁層上に位置する第２の電極とを備え、前記第１の電極及び前記第２の電極は、反対の電気特性を有することを特徴とする請求項２０に記載のＬＣＤ表示装置。
【請求項２６】
前記第１の電極は、前記第１の基板を部分的に露出させることを特徴とする請求項２５に記載のＬＣＤ表示装置。
【発明の詳細な説明】
【技術分野】
【０００１】
本発明は、液晶表示技術に関する。特に、本発明は、コレステリック液晶のスペクトルを広げる方法及び構造に関する。
【背景技術】
【０００２】
一般に、物質は、自然界で固体相、液体相、又は気体相で存在する。さらに、固体は、結晶状態、又はアモルファス状態の何れかをとりうる。マクロ的な観点からは、結晶性固体の分子が通例である。しかしながら、結晶性固体を融点以上の温度に加熱すると、結晶性固体中の分子配列が配向を失い、結晶性固体が等方性の液体となる。
【０００３】
それにもかかわらず、有機物質の中には、加熱すると固体相から液体相に直接変化しないものもある。むしろ、これらは、固体相と液体相の間の１つ以上の中間相を経るものである。中間相を有する物質は、液体のような空間での無秩序性及び流動性と同様に、固定のような配向性及び異方性を有し、またその動力学特性、光学特性、及び対象性は、固体相と液体相との間にある。このため、この中間相は、液晶相と呼ばれている。
【０００４】
液晶は、次に示すように、３種類に分類することができる。
（１）ネマティック液晶：ネマティック液晶分子は、尖った形状で平行に配列されており、分子の軸も平行に配列している。しかしながら、ネマティック液晶は、スメクティック液晶のように層状構造をとらない。ネマティック液晶は、後述するようなスメクティック液晶の性質を有しているが、長手軸に沿って容易く移動するため粘度が低い。
【０００５】
（２）スメクティック液晶：スメクティック液晶分子は、層構造をとる。各スメクティック液晶分子は、層状構造の面に対して垂直又は傾斜しており、互いに平行に配列している。スメクティック液晶は、油のように粘着性があり厚みがあり、偏光する能力がある。
【０００６】
（３）コレステリック液晶：コレステリック液晶は、通常、キラルドーパントをネマティック結晶のホスト側に添加することにより形成される。コレステリック液晶は、スメクティック液晶のように層状構造を有するが、分子の長手軸が、ネマティック液晶と類似して、互いに平行に配列されている。コレステリック液晶では、分子の軸が層毎に若干ねじれており、分子がらせん状構造を持って形成されるようになる。このらせん状構造のらせんピッチ長は、キラル剤の濃度によって決定される。コレステリック液晶は、特定のらせん構造に基づいて、旋光や光選択反射などの幾つかの光学特性を有している。また、通常の場合、反射光は、円偏光される。ここで、コレステリック液晶のらせん構造と同様な回転を有する円偏光された光は、完全に反射するとともに、これと反対方向の回転を有する光は、完全に透過する。
【０００７】
コレステリック液晶を製造する主な方法は、多層のネマティック液晶にキラル剤を添加することによる。上述したように、コレステリック液晶は、らせん構造を有し、液晶ダイレクタの軸は、このらせん軸周りをねじれている。らせん構造は、コレステロール誘導体などの不斉分子構造を有する幾つかの純物質に見受けられる。
コレステリック液晶の重要な特性は、平面構造からのＢｒａｇｇ反射である。なぜなら、屈折率は、らせん軸とともに変化し、周期的に変化するようになるからである。
【発明の開示】
【発明が解決しようとする課題】
【０００８】
図１は、コレステリック液晶からなる表示装置の概略断面図である。まず、基板１０が加圧され基板２０と結合する。その後、コレステリック液晶３０を注入する。こうして、図１に示すような表示装置が完成する。このとき、基板１０と基板２０との間のコレステリック液晶の分子構造は、らせん軸周りにねじれている。ここで、Ｐ０は、コレステリック液晶３０のらせんピッチである。図２は、図１に示すコレステリック液晶においてその波長Ｗに対する反射率Ｒの効果を示すグラフである。図２を参照すると、らせんピッチＰ０を有するコレステリック液晶は、反射率が好ましくはｎ０Ｐ０〜ｎｅＰ０であると良い。ここで、ｎ０は、常光線における屈折率であり、ｎｅは、異常光線における屈折率である。
したがって、表示装置がコレステリック液晶から構成されている際には、その使用範囲もまたその波長に限定される。このような応用範囲は、さほど広くはない。
【０００９】
そこで、以上の必要から、本発明の目的は、コレステリック液晶のスペクトルを広げる方法及び構造を提供することである。少なくとも１つの電極が電界を印加するために液晶表示装置の一方の面に追加され、これによりコレステリック液晶のらせんピッチが均一でなくなる。その結果、本発明の表示装置の応用範囲が広がる。
【００１０】
本発明の他の目的は、コレステリック液晶のスペクトルを広げる方法及び構造を提供することである。まず最初に、基板に注入されたコレステリック液晶は、モノマー構造を有する液晶分子を用いることにより、或いはモノマーをコレステリック液晶に添加することにより、重合することができる。その後、このモノマーを適切な光の照射により重合する。よって、コレステリック液晶の不均一にピッチ化されたらせんが、電極に電力を印加していない際にも封鎖され保持される。
【課題を解決するための手段】
【００１１】
本発明の上述した及びその他の目的によれば、コレステリック液晶のスペクトルを広げる方法は、次のように示されるものである。２つの基板が設けられ、これら２つの基板間の隙間にコレステリック液晶を充填する。ここで、コレステリック液晶のダイレクタの軸が２つの基板に垂直な複数の垂直軸周りにねじれている。次に、少なくとも１つの電極構造を２つの基板の一方の一面に加える。最後に、この電極構造に電圧を印加して周辺電界を生じ、コレステリック液晶のらせんピッチを変化させる。ここで、周辺電界は、垂直軸の方向に垂直である。
【００１２】
本発明の最良の実施形態では、上述のコレステリック液晶は、さらに重合化することができる。そのため、電圧を印加することによりコレステリック液晶のらせんピッチを変化させた後、光線の照射により重合が行われる。こうして、コレステリック液晶のらせんピッチが封鎖される。モノマー構造を有するコレステリック液晶は、重合することができ、或いはモノマーは、コレステリック液晶に添加して重合可能とすることができる。好ましいモノマーとしては、液晶モノマー、キラル剤モノマー、光重合開始剤モノマー、又はそれらの混合物であっても良い。好ましい光線としては、紫外線、又はＡｒ光線である。
【００１３】
好ましい電極構造は、コプレーナであり、交互に配置された正極及び負極を有する。電圧は、交流又は直流により供給することができる。そして、コレステリック液晶のダイレクタの軸が基板に垂直な方向の周りにねじれている場合、好ましい周辺電界もまたその方向に垂直となる。電極構造は、コレステリック液晶の同一面側、又は異なる面側に形成することができる。
【００１４】
本発明の表示装置は、次の構成を備える。すなわち、第１の基板及び第２の基板、第１の基板と第２の基板間に位置するコレステリック液晶、並びにコレステリック液晶と第１の基板間に位置する電極構造を備える。ここで、電極構造は、周辺電界を生じる能力を有する。
本発明は、コレステリック液晶の反射スペクトルを広げ、これによりコレステリック液晶を有する表示装置、例えば、液晶表示装置、液晶表示用の輝度向上フィルム、フルスペクトルを有する円偏光子又はスマート窓などの応用範囲も広がる。
【発明を実施するための最良の形態】
【００１５】
上記の一般的な説明及び下記の詳細な説明の両者は、あくまでも例示であり、特許請求された本発明をより詳しく説明するためのものである。
添付図面は、本発明の更なる理解をもたらすために与えられたものであり、本明細書に組み込まれその一部を構成する。これら図面は、本発明の実施形態を示しており、詳細な説明とともに本発明の趣旨を説明するのに役立つものである。
【００１６】
以下、本発明の実施形態について詳細に言及するものとする。この実施形態における実施例は、添付図面で示している。また可能な限り、図面及び説明において、同一又は類似部品に言及するに際し、同一の参照番号を用いるものとする。
本発明の製造方法及び構造は、次のように説明されるものである。
【００１７】
まず第一に、基板が設けられ、この基板上にスペーサが配される。次に、他の基板をその基板上に設けて結合させ、これら２つの基板間にスペーサがあるため、空間が存在するようになる。これら２つの基板は、封止剤で封止され、封止剤が適切な光線の照射後に硬化する。その後、２つの基板間の空間をコレステリック液晶で充填し、基本的な表示装置が完成する。本発明の一特徴は、周辺電界を生じるために、基板の一方の一面に電極構造を加えることである。ここで、周辺電界は、基板間に位置するコレステリック液晶のらせんピッチ長を変化させる。電極構造は、一方の基板の内側に、すなわちコレステリック液晶とこの一方の基板との間に位置しても良い。
【００１８】
上記方法に加えて、２つの基板間の空間にコレステリック液晶を充填する幾つかの他の方法がある。例えば、まず最初に、２つの結合した基板を減圧し、コレステリック液晶中に配置する。その後、基板の減圧状態を解除し、空気圧によりコレステリック液晶を基板間に充填する。他の可能な例としては、コレステリック液晶を一方の基板上に配し、その後、他の基板をこの基板に結合する。そして、２つの基板間に封止剤を塗布し、適切な光線の照射により封止剤を硬化させる。
上述の方法は、実施例であり、基板の結合、スペーサの配置、封止、及び光の照射などの工程は、当業者に公知なものである。したがって、これらの工程については、詳細を説明しないものとし、本発明により限定されない。
【００１９】
図３は、本発明に係るコレステリック液晶からなる表示装置の概略断面図である。表示装置の基板１００及び基板１１０は、上面と底面側に離間して配置されている。コレステリック液晶１２０は、基板１００と基板１１０との間に位置する。電極構造１３０は、基板１１０とコレステリック液晶１２０との間に位置する。
【００２０】
電極構造１３０は、交互配列した正極と負極とから構成される。この電極構造１３０に電圧を印加すると、図３の正極と負極間の矢印に示すように、正極と負極との間にＹ軸に垂直な電界が生じる。この電界は、均一でない。電極構造１３０に近づけば近づくほど、電界はより強くなる。同様に、電極構造１３０から離れれば離れるほど、電界は弱くなる。かかる性質を有する電界は、周辺電界とも呼ばれる。コレステリック液晶１２０は、電極構造１３０により生じた電界により影響を受ける。電極構造１３０のより近くに位置するコレステリック液晶のらせんピッチは、電界がより強いため、より長くなる。一方、電極構造１３０から離れて位置するコレステリック液晶のらせんピッチは、電界がより弱いため、より短くなる。
【００２１】
図３に示すように、コレステリック液晶のダイレクタの軸は、Ｙ軸周りにねじれており、このコレステリック液晶は、幾つかのらせんピッチ、すなわちＰ０、Ｐ１、及びＰ２を有し、Ｐ１がＰ０より長く、Ｐ２がＰ１より長くなっている。これは、周辺電界による。
図３は、単に一例にすぎず、電極及びコレステリック液晶の量、並びにらせんピッチの度合いの変化は、実施例であり、本発明を限定するものではない。
【００２２】
電極構造１３０は、基板１００又は基板１２０上に配置しても良い。また、電極構造は、基板に直接形成する他、分離して形成し、その後、基板とコレステリック液晶との間に加えられても良い。より好ましい電極構造１３０は、コプレーナである。以下、電極構造の幾つかの実施形態を説明する。なお、これら実施形態は、図５〜図９に示されている。
【００２３】
図４に示した断面構造を参照すると、基板２００は、ガラス又はプラスチックで構成される。電極２１０及び電極２０は、蒸着又はエッチング工程により基板２００上に交互に配列して形成されている。電極２１０及び電極２２０は、酸化インジウムスズ（ＩＴＯ）などの透明な導電材で構成され、電気特性は、外部印加電圧により決定する。例えば、交流により供給される電圧を用いる場合、電極２１０及び電極２２０の電気特性が交番する。
【００２４】
図５及び図６の構造では、電極２１０及び電極２２０は、指状の形状であり、図５に示す電極の指形状は、長い棒状であるが、図６に示す電極の指形状は、湾曲した棒状である。なお、本発明の効果は、図５の長い棒状の指形状、又は図６の湾曲した棒状の指形状の何れを用いても変わらない。図５のハッチＡ−Ａ’又は図６のハッチＢ−Ｂ’の図面から見ると、交互配列した電極構造の断面図が図４に示され、この電極構造が図３の電極構造１３０のように周辺電界を生じている。電極２１０及び電極２２０のパターンは、フォトリソグラフィにより決定される。
図４に示した周辺電界を生じる電極構造は、図７及び図８に示す構造であっても良い。
【００２５】
図７を参照すると、電極２２０が基板２００上に形成されている。次に、絶縁層２３０がその上に形成され、２つの電極を絶縁する。その後、電極２１０を離間させて絶縁層２３０上に形成する。そして、電極２１０に正電圧を印加するとともに電極２２０に負電圧を印加すると、電極２１０と電極２２０間に周辺電界が形成される。このとき、位置が電極２１０及び電極２２０に近ければ近いほど、電界がより強くなる。
【００２６】
図８を参照すると、まず第一に、電極２１０を離間させて基板２００上に形成する。次に、電極２１０及び基板２００を被覆するように、絶縁層２３０を形成する。その後、電極２１０間に電極２２０を形成する。そして、電極２１０に正電圧を印加するとともに電極２２０に負電圧を印加すると、電極２１０と電極２２０間に周辺電界が形成される。このとき、位置が電極２１０及び電極２２０に近ければ近いほど、電界がより強くなる。
【００２７】
図４〜図６の電極構造では、正極及び負極は、コプレーナである。図７及び図８の電極構造では、正極と負極間にほぼ降下がなく、よってコプレーナであるとみなせる。このコプレーナな電極構造は、結果的に、表示装置としてコレステリック液晶に均一な効果をもたらすことになる。なお、上述した電極構造は、実施例である。また、コレステリック液晶のらせんピッチを変化させるような周辺電界のみ生じているのならば、コプレーナ電極、又は非コプレーナ電極の何れも、本発明で用いることができる。
【００２８】
上述した本発明の方法及び構成によれば、多様ならせんピッチを有するコレステリック液晶を生成することができ、反射スペクトルも増加する。図９は、本発明に係るコレステリック液晶からなる表示装置において、波長Ｗに対する反射率Ｒの効果を示すグラフである。図９を参照すると、コレステリック液晶の反射スペクトルは、ｎ０ＰｓｈｏｒｔとｎｅＰｌｏｎｇとの間で増加する。ここで、ｎ０は、常光線の屈折率であり、ｎｅは、異常光線の屈折率であり、Ｐｓｈｏｒｔは、コレステリック液晶の最短のらせんピッチであり、Ｐｌｏｎｇは、コレステリック液晶の最長のらせんピッチである。
【００２９】
コレステリック液晶のらせんピッチは、電界により変化する。仮に、電極に電圧が印加されていない場合、電界は発生せず、コレステリック液晶の多様ならせんピッチは、保持されない。よって、本発明の他の実施形態では、コレステリック液晶の多様ならせんピッチを保持する方法が開示される。
【００３０】
まず、コレステリック液晶は、当該コレステリック液晶を形成するための重合能を有するモノマー材を用いることにより、自己重合する能力を有することができる。例えば、コレステリック液晶の製造方法は、ネマティック結晶のホスト側にキラルドーパントを添加することによる。これにより、液晶分子、又は重合能を有するキラル剤がコレステリック液晶を重合するのに用いることができる。またその代わりに、コレステリック液晶を形成した後に、液晶モノマー、キラル剤モノマー、光重合開始剤モノマー、又はこれらの混合物などの少なくとも１種のモノマーを、コレステリック液晶に添加する。上述の方法を用いることにより、図３に示すように基板１００と基板１１０との間に位置するコレステリック液晶１２０が重合能を有するようになる。
【００３１】
次いで、周辺電界を生じるために、図３の電極構造１３０に電圧を印加する。コレステリック液晶のらせんピッチの長さは、多様である。適切な波長及び強度を有する光線、好ましくは紫外線又はＡｒ光線を用いることにより、コレステリック液晶が重合する。そして、コレステリック液晶の多様ならせんピッチは、封鎖され保持される。
【００３２】
本発明の方法は、まず第一に、電極を基板に形成し、次いで、この電極に電圧を印加してコレステリック液晶のらせんピッチを変化させることができる。またその代わりに、まず第一に、基板を結合しコレステリック液晶で充填し、次いで、外部電界を付与してコレステリック液晶のらせんピッチを変化させる。最後に、光線を用いて、コレステリック液晶のらせんピッチを封鎖する。
上述した本発明の方法及び構造の利点は、モノマーを添加して光線を照射することにより、らせんピッチの傾斜を変化させて多様ならせんピッチを保持する能力があるため、コレステリック液晶の応用範囲を広げることができることである。
【００３３】
本発明の方法を用いて製造されたコレステリック液晶装置は、液晶表示装置、液晶表示用の輝度向上フィルム、フルスペクトルを有する円偏光子又は太陽光に耐久性のあるスマート窓などにも用いることができる。スマート窓は、コレステリック液晶の異なるらせんピッチにより決定された特定の波長を有する幾らかの光線を透過又は反射することができる。例えば、高温な場合、このスマート窓は、紫外線又は赤外線を反射することができ、低温な場合、このスマート窓は、紫外線又は赤外線を透過することができる。ここで、スマート窓のコレステリック液晶のらせんピッチによれば、透過又は反射する紫外線又は赤外線の選択をすることができる。
【００３４】
当業者により理解されるように、上述した本発明の好ましい実施形態は、本発明を限定するというよりも、むしろ例示したものに過ぎない。よって、本発明は、添付クレームの趣旨及び範囲内で多様な変更及び類似な配置を包含する。なお、クレームの範囲は、かかる変更及び類似構造の全てを網羅するように幅広く解釈されるべきである。
【図面の簡単な説明】
【００３５】
【図１】コレステリック液晶からなる表示装置の概略断面図である。
【図２】図１に示すコレステリック液晶において、波長Ｗに対する反射率Ｒの効果を示すグラフである。
【図３】本発明に係るコレステリック液晶からなる表示装置の概略断面図である。
【図４】本発明の一実施形態に係る周辺電界を生じる電極構造の概略断面図である。
【図５】図４に示す構造の垂直方向の概略図である。
【図６】図４に示す構造の垂直方向の概略図である。
【図７】本発明の他の実施形態に係る周辺電界を生じる電極構造の概略断面図である。
【図８】本発明の更なる他の実施形態に係る周辺電界を生じる電極構造の概略断面図である。
【図９】本発明に係るコレステリック液晶からなる表示装置において波長Ｗに対する反射率Ｒの効果を示すグラフである。
【図１】
2004310115.tif 000003
【図２】
2004310115.tif 000004
【図３】
2004310115.tif 000005
【図４】
2004310115.tif 000006
【図５】
2004310115.tif 000007
【図６】
2004310115.tif 000008
【図７】
2004310115.tif 000009
【図８】
2004310115.tif 000010
【図９】
2004310115.tif 000011
【外国語明細書】
2004310115.tif 000012
2004310115.tif 000013
2004310115.tif 000014
2004310115.tif 000015
2004310115.tif 000016
2004310115.tif 000017
2004310115.tif 000018
2004310115.tif 000019
2004310115.tif 000020
2004310115.tif 000021
2004310115.tif 000022
2004310115.tif 000023
2004310115.tif 000024
2004310115.tif 000025
2004310115.tif 000026
2004310115.tif 000027
2004310115.tif 000028
2004310115.tif 000029
2004310115.tif 000030
2004310115.tif 000031
2004310115.tif 000032
2004310115.tif 000033
2004310115.tif 000034
2004310115.tif 000035
2004310115.tif 000036
2004310115.tif 000037